(57)【要約】      （修正有）【課題】後処理として折り処理が実施できないような場合であっても代替手法を提供することでユーザーにとって利便性の高い画像形成システム、画像形成装置及び印刷制御方法を提供する。【解決手段】画像形成システムは、画像形成装置１００と、後処理装置３００と、後処理装置４００と、を有している。画像形成装置１００の制御部１０１は、用紙に対する後処理として用紙に折りを施す折り処理が指定されたジョブを実行する場合において、後処理装置３００において折り処理を実行することができないことを判断したときは、折り処理に代えて筋付け処理を実施する代替制御モードに移行することとしている。【選択図】図１
2015092208.tif 000002
【特許請求の範囲】
【請求項１】
画像形成装置と、
前記画像形成装置と接続され、用紙に後処理を行う後処理装置とを有し、
前記後処理装置は、
用紙に対して筋付け処理を行う筋付け部を備え、
前記画像形成装置は、
用紙に画像を形成する画像形成部と、
前記画像形成装置を制御するとともに画像形成システムを制御する制御部と、を備え、
前記制御部は、
用紙に対する後処理として用紙に折りを施す折り処理が指定されたジョブを実行する場合において、前記後処理装置において前記折り処理を実行することができないことを判断したときは、前記折り処理に代えて前記筋付け処理を実施する代替制御モードに移行することを特徴とする画像形成システム。
【請求項２】
前記画像形成装置は、ユーザーに情報を提示する情報提示部をさらに有し、
前記制御部は、前記代替制御モードに移行した場合、前記折り処理に代えて前記筋付け処理を実施するか否かをユーザーに選択させる情報を前記情報提示部によって提示することを特徴とする請求項１に記載された画像形成システム。
【請求項３】
前記制御部は、前記代替制御モードに移行した場合、前記後処理装置の筋付け部により、前記折り処理の実行位置と対応する用紙の位置に前記筋付け処理を実行させることを特徴とする請求項１又は２に記載された画像形成システム。
【請求項４】
前記制御部は、前記代替制御モードに移行した場合、ジョブにおいて指定された他の後処理のうち、折り処理後に実施されるべき後処理については実行しないことを特徴とする請求項３に記載された画像形成システム。
【請求項５】
前記制御部は、前記折り処理における折り方向に応じて用紙を反転させる処理を実行することを特徴とする請求項３又は４に記載された画像形成システム。
【請求項６】
用紙に対して筋付け処理を行う後処理装置が接続される画像形成装置において、
用紙に画像を形成する画像形成部と、
前記画像形成部を制御する制御部と、を備え、
前記制御部は、
用紙に対する後処理として前記折り処理が指定されたジョブを実行する場合において、前記後処理装置において前記折り処理を実行することができないことを判断したときは、前記折り処理に代えて前記筋付け処理を実施する代替制御モードに移行することを特徴とする画像形成装置。
【請求項７】
画像形成装置及び後処理装置を含む画像形成システムによる印刷制御方法において、
前記後処理装置にて実行する後処理として用紙に折りを施す折り処理が指定されたジョブを取得するステップ、
前記後処理装置において前記折り処理を実行することができるか否かを判断するステップと、
前記折り処理を実行することができないことを判断した場合に、前記折り処理に代えて、前記後処理装置が備える筋付け部により筋付け処理を実施する代替制御モードに移行するステップと、
を有することを特徴とする印刷制御方法。
【発明の詳細な説明】
【技術分野】
【０００１】
本発明は、画像形成システム、画像形成装置及び印刷制御方法に関する。
【背景技術】
【０００２】
従来より、画像形成装置と後処理装置とを直列させた画像形成システムが知られている。この画像形成システムでは、後処理装置にて、画像形成装置から出力される用紙に後処理を施すことができ、ユーザーの所望とする出力物を得ることができる。後処理としては、例えば、中折りや３つ折り等の折り処理や、パンチ処理、綴じ処理などが挙げられ、これらの後処理を適宜組み合わせることで冊子やくるみ製本といった出力物を得ることができる。
【０００３】
例えば特許文献１には、後処理装置と通信を介して接続されている画像形成装置が開示されている。この画像形成装置では、当該画像形成装置が有する後処理装置にエラー等が生じて印刷後処理を実行することができない場合、その後処理装置で行わせるはずの後処理機能と同一の機能を持つ後処理装置を、後処理装置プロファイル保存領域の後処理装置情報から検索する。もし見つかれば、該当する後処理装置に後処理設定をしたジョブ制御情報を生成して、当該後処理装置に送信する。その後処理装置は、受信したジョブ制御情報に従って後処理を遂行する。これにより、後処理装置における機能を、他の後処理装置により代替させることとしている。
【先行技術文献】
【特許文献】
【０００４】
【特許文献１】特開２００６−３０８６９２号公報
【発明の概要】
【発明が解決しようとする課題】
【０００５】
後処理として多用されているものの一つに折り処理が挙げられる。読み取った原稿の枚数が折り処理部により折り処理可能な最大枚数を超えた場合、折り処理部が故障している場合、そもそも折り処理部を有していないといったように、後処理装置により折り処理を実行することができないことを判断した場合には、ジョブがキャンセルされる。この場合、ユーザーは何らの出力物も得ることができないのが通常である。しかしながら、折り処理を施した完全なる出力物を得られないまでも、折り処理に供する上で便利な程度に処理が施された中間出力物を得ることができたならば、ユーザーにとっての利便性は向上するとも考えられる。
【０００６】
また、特許文献１に開示された手法によれば、複数の後処理装置の存在を前提に、折り処理を行うことができる他の後処理装置が存在しなければならない。よって、他の後処理装置が存在しなければ代替する処理を行うことができず、何らの出力物を得ることができないという不都合がある。
【０００７】
本発明はかかる事情に鑑みてなされたものであり、その目的は、後処理として折り処理が実施できないような場合であっても代替手法を提供することでユーザーにとって利便性の高い画像形成システム、画像形成装置及び印刷制御方法を提供する。
【課題を解決するための手段】
【０００８】
かかる課題を解決するために、第１の発明は、画像形成装置と、画像形成装置と接続され、用紙に後処理を行う後処理装置とを有する画像形成システムを提供する。ここで、後処理装置は、用紙に対して筋付け処理を行う筋付け部を備え、画像形成装置は、用紙に画像を形成する画像形成部と、画像形成装置を制御するとともに画像形成システムを制御する制御部と、を備える。制御部は、用紙に対する後処理として用紙に折りを施す折り処理が指定されたジョブを実行する場合において、後処理装置において折り処理を実行することができないことを判断したときは、折り処理に代えて筋付け処理を実施する代替制御モードに移行する。
【０００９】
ここで、第１の発明において、画像形成装置は、ユーザーに情報を提示する情報提示部をさらに有していることが好ましい。この場合、制御部は、代替制御モードに移行した場合、折り処理に代えて筋付け処理を実施するか否かをユーザーに選択させる情報を情報提示部によって提示することが望ましい。
【００１０】
また、第１の発明において、制御部は、代替制御モードに移行した場合、後処理装置の筋付け部により、折り処理の実行位置と対応する用紙の位置に筋付け処理を実行させることが好ましい。
【００１１】
また、第１の発明において、制御部は、代替制御モードに移行した場合、ジョブにおいて指定された他の後処理のうち、折り処理後に実施されるべき後処理については実行しないことが望ましい。
【００１２】
さらに、第１の発明において、制御部は、折り処理における折り方向に応じて用紙を反転させる処理を実行することが望ましい。
【００１３】
また、第２の発明は、用紙に対して筋付け処理を行う後処理装置が接続される画像形成装置を提供する。この画像形成装置は、用紙に画像を形成する画像形成部と、画像形成部を制御する制御部と、を備え、制御部は、用紙に対する後処理として折り処理が指定されたジョブを実行する場合において、後処理装置において折り処理を実行することができないことを判断したときは、折り処理に代えて筋付け処理を実施する代替制御モードに移行する。
【００１４】
さらに、第３の発明は、画像形成装置及び後処理装置を含む画像形成システムによる印刷制御方法を提供する。この印刷制御方法は、後処理装置にて実行する後処理として用紙に折りを施す折り処理が指定されたジョブを取得するステップ、後処理装置において折り処理を実行することができるか否かを判断するステップと、折り処理を実行することができないことを判断した場合に、折り処理に代えて、後処理装置が備える筋付け部により筋付け処理を実施する代替制御モードに移行するステップと、を有する。
【発明の効果】
【００１５】
本発明によれば、筋付け処理を実施する代替制御モードに移行することで、後処理として折り処理が実施できないような場合であっても代替手法を提供することができるので、ユーザーにとって利便性の高い画像形成システムを提供することができる。
【図面の簡単な説明】
【００１６】
【図１】第１の実施形態に係る画像形成システムの構成を模式的に示すブロック図
【図２】図１に示す画像形成システムの構成を模式的に示す説明図
【図３】筋付け部の構成を示す説明図
【図４】筋付け部の構成を示す説明図
【図５】第１の実施形態に係る画像形成システムの動作手順を示すフローチャート
【図６】第２の実施形態に係る画像形成システムの動作手順を示すフローチャート
【図７】第４の実施形態に係る画像形成システムの動作手順を示すフローチャート
【発明を実施するための形態】
【００１７】
（第１の実施形態）
図１は本実施形態に係る画像形成システムの構成を模式的に示すブロック図である。図２は図１に示す画像形成システムの構成を模式的に示す説明図である。この画像形成システムは、画像形成装置１００と、後処理装置３００と、後処理装置４００と、を有している。なお、画像形成装置１００と後処理装置３００との間に別な装置が存在していてもよいし、後処理装置４００は存在していなくともよい。また、用紙搬送方向の下流側に別の後処理装置が連結されていてもよい。
【００１８】
画像形成装置１００は、用紙に画像を形成する装置である。画像形成装置１００で画像形成された用紙は、下流側の後処理装置３００に向けて搬出される。この画像形成装置１００は、制御部１０１と、通信部１０２と、操作表示部１０３と、記憶部１０４と、給紙部１０５と、搬送部１０７と、原稿読取部１２０と、画像データ記憶部１３０と、画像処理部１４０と、画像形成部１５０と、を備えて構成されている。
【００１９】
制御部１０１は、画像形成装置１００内の各部を制御すると共に画像形成システム全体を制御するものであり、通信部１０２は、接続されている他の装置と通信するものである。操作表示部１０３は、操作者による操作入力に応じた操作入力信号を制御部１０１に通知すると共に、制御部１０１からの制御信号に応じて必要な情報表示を行う。換言すれば、装置表示部１０３は、ユーザーに情報を提示する情報提示部として機能する。記憶部１０４は、制御プログラム及び各種設定データを記憶すると共に制御プログラムのワークエリアとして使用される。給紙部１０５は、収容されている用紙を給紙し、搬送部１０７は、給紙されて画像形成に供される用紙を所定速度で搬送する。原稿読取部１２０は、原稿を１枚ごとに読み取って画像データを生成するものであり、画像データ記憶部１３０は、画像形成する際の画像情報や各種データを記憶する。画像処理部１４０は、画像形成に必要な各種画像処理を実行し、画像形成部１５０は、画像形成命令と画像処理後の画像情報とに基づいて画像形成（印刷）を実行する。
【００２０】
後処理装置３００は、画像形成装置１００の下流側に接続されており、画像形成装置１００からの用紙に後処理を施すものである。後処理装置３００は、制御部３０１と、通信部３０２と、記憶部３０４と、排出経路選択部３０５と、搬送部３０７と、筋付け部３１０と、整合部３２０と、折り部３３０と、重ね合わせ部３４０と、中綴じ部３５０と、角背処理部３６０と、断裁部３７０と、を備えて構成される。
【００２１】
制御部３０１は、後処理装置３００内の各部を制御し、通信部３０２は、画像形成装置１００と通信する。記憶部３０４は、制御プログラム及び各種設定データを記憶すると共に制御プログラムのワークエリアとして使用され、排出経路選択部３０５は、後処理された用紙束を排出させる排出経路を選択する。搬送部３０７は、用紙を所定速度で搬送する。筋付け部３１０は、用紙を折ることなく、当該用紙に対して筋を付ける筋付け処理を行う。整合部３２０は、次の後処理のために、筋付け処理後の用紙を整合させる。折り部３３０は、中折り又は３つ折りといったように、用紙に折りを施す折り処理を行う。重ね合わせ部３４０は、後処理のために用紙を重ね合わせて用紙束とし、中綴じ部３５０は、折り部３３０で折られた用紙に後処理として中綴じを施す。角背処理部３６０は、中綴じ用の折り目が形成された用紙束の背折り部を平坦にする角背処理を施し、断裁部３７０は、中綴じされた用紙束の小口部分を断裁する。
【００２２】
後処理装置４００は、後処理装置３００の下流側に接続されている。後処理装置３００は、制御部４０１と、通信部４０２と、記憶部４０４と、排出経路選択部４０５と、搬送部４１０と、平綴じ部４２０と、メイントレイ排出部４４０と、サブトレイ排出部４５０と、を備えて構成される。
【００２３】
制御部４０１は、後処理装置４００内の各部を制御し、通信部４０２は、画像形成装置１００や後処理装置３００と通信する。記憶部４０４は、制御プログラム及び各種設定データを記憶すると共に制御プログラムのワークエリアとして使用される。排出経路選択部４０５は、後処理された用紙束を排出させる排出経路を選択する。搬送部４１０は、用紙を所定速度で搬送し、平綴じ部４２０は、用紙束に平綴じ処理を施す。メイントレイ排出部４４０は、メイントレイを排出先として用紙を排出し、サブトレイ排出部４５０は、サブトレイを排出先として用紙を排出する。
【００２４】
画像形成装置１００内の画像形成部１５０で画像が形成された用紙は、図２のＸ方向に搬送され、後処理装置４００で後処理する場合には、後処理装置３００でもそのままＸ方向に搬送される。
【００２５】
一方、後処理装置３００において後処理（例えば中綴じ冊子）を実行する場合は、図２のように、用紙に対して筋付け部３１０でＹ方向の筋を付けた後に、折り部３３０においてＹ方向を稜線として中折りをする。そして、用紙をＹ方向に搬送しつつ、重ね合わせ部３４０にて用紙を所定枚数重ね合わせて、中綴じ部３５０で中綴じを実行する。中綴じがされた用紙束はＹ方向に搬送され角背処理部３６０により背表紙の部分を平坦にする角背処理を施す。
【００２６】
図３と図４は、筋付け処理を行うクリーサーと呼ばれる筋付け部３１０の構成を模式的に示す説明図である。画像形成装置１００からの用紙は、反転搬送路に引き込まれ、搬送ローラ３０７Ｒ１１，３０７Ｒ１２，３０７Ｒ２１，３０７Ｒ２２による挟持搬送制御、あるいは、先端ストッパ３２５による位置規制により、用紙が所定位置で停止する（図３）。
【００２７】
この後、筋付けナイフ駆動部３１１により駆動され、Ｙ方向に伸びた筋付けナイフ３１２が、同様にＹ方向に伸びた凹部を有する筋付け台３１３に向かって、−Ｘ方向に伸長することで、筋付けナイフ３１２の先端と筋付け台３１３の凹部との間に用紙が挟持される。この動作により、Ｙ方向を長手方向とする筋が形成される（図４）。なお、この筋付け処理では、用紙全体としては平面状態を保っているため、折り処理による折り目とは異なり、平面上の用紙に、断面形状が半円形の筋が形成される。
【００２８】
また、この筋付け処理の際に、搬送ローラ３０７Ｒ１１，３０７Ｒ１２，３０７Ｒ２１，３０７Ｒ２２による挟持搬送制御、あるいは、先端ストッパ３２５１の停止位置制御、又は、挟持搬送制御と停止位置制御の両方により、用紙上の所望の位置に１本若しくは複数本の筋を付すことができる。また、このようにして筋が付された用紙は、搬送ローラ３０７Ｒ１１，３０７Ｒ１２，３０７Ｒ２１，３０７Ｒ２２によって、反転搬送路３０７Ｒを戻って折り部３３０に向かって搬送される。
【００２９】
このような構成の画像形成システムにおいて、画像形成装置１００の制御部１０１は、用紙に対する後処理として用紙に折りを施す折り処理が指定されたジョブを実行する場合において、後処理装置３００において折り処理を実行することができないことを判断したときは、折り処理に代えて筋付け処理を実施する代替制御モードに移行することとしている。
【００３０】
図５は、本実施形態に係る画像形成システムの動作手順を示すフローチャートである。このフローチャートに示す処理は、ジョブの入力をトリガーとして制御部１０１によって実行される。
【００３１】
ここで、ジョブは、操作表示部１０３を通じて制御部１０１により取得される。このジョブの入力を通じて、制御部１０１は、後処理の有無、後処理を行う場合にはその種類（中折り、３つ折り、中綴じ、くるみ製本など）などを取得することができるとともに、画像形成に供する原稿の読み取り動作が開始される。
【００３２】
まず、ステップ１０（Ｓ１０）において、制御部１０１は、原稿読取部１２０により全ての原稿についての読み取りが完了したか否かを判断する。このステップ１０において肯定判定された場合、すなわち、全ての原稿についての読み取りが完了した場合には、ステップ１１に進む。一方、ステップ１０において否定判定された場合、すなわち、全ての原稿についての読み取りが完了していない場合には、ステップ１２（Ｓ１２）に進む。
【００３３】
ステップ１１において、制御部１０１は、後処理装置３００の制御部３０１に対して折り処理の実行を許可する。これにより、後処理装置３００の制御部３０１は、折り部３３０を制御して、用紙に対する折り処理を実行する。
【００３４】
ステップ１２において、制御部１０１は、読み取りが行われた原稿の枚数が、折り部３３０により折り処理可能な最大の用紙枚数（以下「折り最大枚数」という）を超えているか否かを判断する。ステップ１２において否定判定された場合、すなわち、読み取った原稿の枚数が折り最大枚数を超えていない場合には、ステップ１０の処理に戻り、次頁の原稿について読み取りを行う。一方、ステップ１２において肯定判定された場合、すなわち、読み取った原稿の枚数が折り最大枚数を超えている場合には、ステップ１３（Ｓ１３）の処理に進む。
【００３５】
ステップ１３において、制御部１０１は、操作表示部１０３を制御して、折り処理を筋付け処理で代用するか否かをユーザーに判断させる情報を表示する。そして、制御部１０１は、この表示に対する応答として操作表示部１０３から出力される操作入力信号に基づいて、折り処理を筋付け処理で代用するか否かを判断する。
【００３６】
ステップ１３において肯定判定された場合、すなわち、筋付け処理で代用する場合には、ステップ１４（Ｓ１４）の処理に進む。一方、ステップ１３において否定判定された場合、すなわち、筋付け処理で代用しない場合には、ステップ１５（Ｓ１５）の処理に進む。
【００３７】
ステップ１４において、制御部１０１は、後処理装置３００の制御部３０１に対して、折り処理に代えた筋付け処理の実行を指示する。これにより、後処理装置３００の制御部３０１は、折り部３３０を制御して、用紙における折り処理の実行位置と対応する位置に、筋付け部３１０による筋付け処理を実行する。
【００３８】
一方、ステップ１５において、制御部１０１は、ジョブをキャンセルする。
【００３９】
このように本実施形態によれば、画像形成装置１００の制御部１０１は、用紙に対する後処理として用紙に折りを施す折り処理が指定されたジョブを実行する場合において、後処理装置３００において折り処理を実行することができないことを判断したときは、折り処理に代えて筋付け処理を実施する代替制御モード（Ｓ１３，１４の処理）に移行することとしている。
【００４０】
かかる構成によれば、筋付け処理を実施する代替制御モードに移行することで、後処理として折り処理が実施できないような場合であっても代替手法を提供することができるので、ユーザーにとって利便性の高い画像形成システムを提供することができる。
【００４１】
また、本実施形態において、制御部１０１は、代替制御モードに移行した場合、後処理装置３００の筋付け部３１０により、折り処理の実行位置と対応する用紙の位置に筋付け処理を実行させることとしている。
【００４２】
かかる構成によれば、折り処理を施した完全なる出力物を得られないまでも、折り処理と対応付けて筋付け処理がなされるため、折り処理に供する上で便利な程度に処理が施された中間出力物を得ることができる。そのため、用紙上の筋に沿って折りを行うことができるので、ユーザーが手作業でも折りを行うことできる。これにより、ユーザーの利便性の向上を図ることができる。
【００４３】
また、本実施形態において、制御部１０１は、代替制御モードに移行した場合、折り処理に代えて筋付け処理を実施するか否かをユーザーに選択させる情報を、操作表示部１０３によって表示することとしている。
【００４４】
かかる構成によれば、ユーザーの意思を確認した上で、筋付け処理の代用がなされる。そのため、ユーザーの使い勝手の向上を図ることができる。
【００４５】
なお、上述した実施形態では、後処理装置３００において折り処理を実行することができない状況として、読み取りが行われた原稿の枚数が折り最大枚数を超えるシーンについて説明した。しかしながら、折り処理を実行することができない状況としては、これ以外にも、折り部３３０が故障などで利用できないシーンや、後処理装置３００がその構成として折り部３３０を備えていないものであってもよい。この場合、上述のステップ１０，１１の処理に代えて、折り部３３０が故障であるか否か、後処理装置３００が折り部３３０を備えているか否かを判断するステップが用いられることとなる。
【００４６】
また、本実施形態では、ジョブの入力例として操作表示部１０３を例示しているが、画像形成装置１００に接続されたパーソナル・コンピューターや他の画像形成装置から取得するものであってもよい。
【００４７】
（第２の実施形態）
図６は、第２の実施形態に係る画像形成システムの動作手順を示すフローチャートである。このフローチャートに示す処理は、ジョブの入力をトリガーとして制御部１０１によって実行される。このフローチャートに示す処理が、第１の実施形態のそれと相違する点は、折り処理の方向に応じて用紙の表裏を反転させることにある。以下、第１の実施形態と重複する構成については説明を省略することとし、相違点を中心に説明する。
【００４８】
まず、ステップ２０（Ｓ２０）からステップ２３（Ｓ２３）まで並びにステップ２６（Ｓ２６）及びステップ２７（Ｓ２７）の各処理は、第１の実施形態に示すステップ１０からステップ１３まで並びにステップ１４及びステップ１５の各処理と対応している。
【００４９】
ステップ２３の肯定判定に続くステップ２４（Ｓ２４）において、制御部１０１は、用紙の裏面側に折り処理が設定されているか否かを判断する。このステップ２３において肯定判定された場合、すなわち、用紙の裏面側に折り処理が設定されている場合には、ステップ２５（Ｓ２５）に進む。一方、ステップ２３において否定判定された場合、すなわち、用紙の裏面側に折り処理が設定されている場合には、ステップ２６に進む。
【００５０】
ステップ２５において、制御部１０１は、用紙の反転制御を行う。この反転制御は、用紙の表裏を反転させるものであり、例えば画像形成装置内における搬送機構によって実現することができる。しかしながら、用紙の反転は後処理装置３００の筋付け部３１０に用紙が到達する前に行われればよく、画像形成装置１００と後処理装置３００との間の中継装置を介在させて当該中継装置によって実行してもよい。
【００５１】
このように本実施形態によれば、制御部１０１は、折り処理における折り方向に応じて用紙を反転させる処理を実行することとしている。
【００５２】
かかる構成によれば、筋付け部３１０により一方向のみしか筋付けができないような状況であれば、用紙を事前に反転させることで、折り処理と対応する方向に沿って適切に筋付けを行うことができる。
【００５３】
（第３の実施形態）
図７は、第３の実施形態に係る画像形成システムの動作手順を示すフローチャートである。このフローチャートに示す処理は、ジョブの入力をトリガーとして制御部１０１によって実行される。このフローチャートに示す処理が、第１の実施形態のそれと相違する点は、筋付け処理にて代用した場合における後処理の実行方法である。以下、第１の実施形態と重複する構成については説明を省略することとし、相違点を中心に説明する。
【００５４】
まず、ステップ３０（Ｓ３０）からステップ３５（Ｓ３５）までの各処理は、第１の実施形態に示すステップ１０からステップ１５までの各処理と対応している。
【００５５】
ステップ３６（Ｓ３６）において、制御部１０１は、後処理に、綴じ処理又は断裁処理といったように折り処理後に実施されるべき他の後処理が含まれているか否かを判断する。このステップ３６において肯定判定された場合、すなわち、他の後処理が含まれていた場合には、ステップ３７（Ｓ３７）をスキップして、本処理を終了する。一方、ステップ３６において否定判定された場合、すなわち、折り処理後に実施するべき他の後処理ではない他の後処理（例えばパンチ処理）などが設定されている場合には、ステップ３７に進み、当該後処理を実行する。
【００５６】
このように本実施形態によれば、制御部１０１は、代替制御モードに移行した場合、ジョブにおいて指定された他の後処理のうち、折り処理後に実施されるべき後処理については実行しないこととしている。
【００５７】
かかる構成によれば、折り処理後に実施される後処理の実施が回避される。このため、折り処理がなされる前に、折り処理を前提として実施される後処理がなされるといった事態を抑制することができる。また、折り処理を前提としていない後紙処理については許容されるので、よりユーザーに希望する完成体に近い出力物を得ることができる。
【００５８】
以上、本発明の実施形態にかかる画像形成システムについて説明したが、本発明は上述した実施形態に限定されることなく、その発明の範囲内において種々の変形が可能であることはいうまでもない。
【００５９】
例えば、本実施形態によれば、画像形成装置と後処理装置とを備える画像形成システムについて説明した。しかしながら、この画像形成システムのみならず、後処理装置に接続される画像形成装置それ自体や、この画像形成システムにおける印刷制御方法それ自体も本発明の一部として機能する。
【００６０】
また、印刷制御方法を実行する制御部は、画像形成装置や後処理装置を制御する制御部とは独立して設けられていてもよい。例えば、ネットワークを介して画像形成装置に接続されたサーバーやプリンタドライバがインストールされているパーソナル・コンピューターが画像形成装置等の挙動をモニタし、ジョブに応じて面付け処理をするものであってもよい。
【符号の説明】
【００６１】
１００    画像形成装置
１０１    制御部
１４０    画像処理部
１５０    画像形成部
３００    後処理装置
３１０    筋付け部
３３０    折り部
３４０    重ね合わせ部
３５０    中綴じ部
３６０    角背処理部
３７０    断裁部
【図１】
2015092208.tif 000003
【図２】
2015092208.tif 000004
【図３】
2015092208.tif 000005
【図４】
2015092208.tif 000006
【図５】
2015092208.tif 000007
【図６】
2015092208.tif 000008
【図７】
2015092208.tif 000009